(57)【特許請求の範囲】
【請求項１】
鶏を収容する複数のケージに仕切られた長い二つのケージ列を背中合わせに配置して一段のケージ列対を構成し、このケージ列対を複数段重ねると共に、
各段のケージ列対の下方にケージ列対の長手方向に延び長手方向に移動する鶏糞回収用のベルトコンベアを設け、
上下に隣接する段の前記ベルトコンベアを各々反対方向に作動させ、上段にあるベルトコンベア上に堆積した鶏糞を、その下流部分から、その直ぐ下方にある下段のベルトコンベアの上流部分に次々に移し変えて最下段にあるベルトコンベアの下流端で全ての鶏糞を回収するように構成した
鶏糞回収コンベア付きケージユニットにおいて、
少なくとも一つのベルトコンベアの下流部分に、そのベルトコンベア上に堆積した鶏糞の乾燥の進んだ部分を回収し、回収した鶏糞をベルトコンベアの幅方向外方に移送してケージユニットの側部から排出する鶏糞中抜き装置を設けたこと
を特徴とする鶏糞中抜き装置を備えた鶏糞回収コンベア付きケージユニット。
【請求項２】
上段のベルトコンベアから下段のベルトコンベアに鶏糞が移される時に、鶏糞を下段のベルトコンベアの幅方向中央部分に案内するガイド部材を備え、
前記鶏糞中抜き装置が、対応するベルトコンベアの幅方向中央部分にある乾燥が進んだ鶏糞を回収すること
を特徴とする請求項１に記載のケージユニット。
【請求項３】
前記中抜き装置が偶数段毎のベルトコンベアに設けられていることを特徴とする請求項１又は２に記載のケージユニット。
【請求項４】
前記中抜き装置が奇数段毎のベルトコンベアに設けられていることを特徴とする請求項１又は２に記載のケージユニット。
【発明の詳細な説明】
【０００１】
【発明の属する技術分野】
本発明は、下方に鶏糞を回収するためのベルトコンベアを備えたケージ列を複数段重ねて構成された鶏糞回収コンベア付きケージユニットの改良に関する。
【０００２】
【従来の技術】
従来から鶏が放出した鶏糞を回収できるケージユニットとしては、鶏を収容する複数のケージに仕切られた長い二つのケージ列を背中合わせに配置して、このケージ列対を複数段重ねると共に、各段のケージ列対の下方にケージ列対の長手方向に沿ってベルトコンベアを配置し、このベルトコンベアで各ケージ内で鶏が放出した鶏糞を回収する鶏糞回収コンベア付きケージユニットがある。
上記した鶏糞回収コンベア付きケージユニットは、ケージ列対の端から端まで鶏糞回収用のベルトコンベアが延びており、ベルトコンベア上に堆積した鶏糞はベルトコンベアの一端で回収されるが、ケージ列が多段に重ねられている場合には、上方にあるベルトコンベアから鶏糞を回収するのは困難であり、また、各ベルトコンベア毎に鶏糞を回収すると回収時に鶏糞の乾燥が悪い等の問題があるため、これらの問題を解決するために、図３に示すように、上下に隣接する段のケージ列対３１のベルトコンベア３０を各々反対方向に作動させ、上段のベルトコンベア上に堆積した鶏糞を、その下流部分から下段にあるベルトコンベアの上流部分に移し変えることができるようにし、これにより、最上段にあるケージ列対３１Ａのベルトコンベア３３Ａから、２段目のベルトコンベア３３Ｂ、３段目のベルトコンベア３３Ｃ、及び最下段のベルトコンベア３３Ｄの順に鶏糞を移し変えながら移送して、最終的に最下段にあるベルトコンベア３３Ｄの下流端で全ての鶏糞を回収するように構成したジグザグシステムが採用されている。
また、上記したケージユニットは、図４に示すように各段が二つのケージ列Ｌ及びＲを背中合わせに配置したケージ列対３１で構成されているため、上段のベルトコンベア３３Ａから移し変えられた鶏糞の上に各ケージで鶏が放出した鶏糞が載らないように、上段から下段のベルトコンベアに鶏糞が移し変えられる時に鶏糞がベルトコンベア３３の幅方向中央部分に集まるように案内するガイド部材３５が各ベルトコンベア３３毎に設けられており（図３参照）、これにより上段のベルトコンベア３３Ａの鶏糞は下段のベルトコンベア３３Ｂの幅方向中央部分に移し変えられ、一方、下段のベルトコンベア３３Ｂに対応するケージ列対３１Ｂで鶏が放出した鶏糞はベルトコンベア３３Ｂの両側部分に堆積するようになる（図４参照）。
【０００３】
【発明が解決しようとする課題】
上記したように構成されたケージユニットは、上段のベルトコンベア３３Ａから移し変えられた鶏糞の上に、鶏が放出したばかりの鶏糞が載らないので鶏糞の乾燥が比較的良く、また、最上段のベルトコンベアから最下段のベルトコンベアまで鶏糞をジグザグに移送して、最下段のベルトコンベアで鶏糞を回収するのでユニットが全体としてコンパクトになるという効果を奏するが、下段にいく程、ベルトコンベアの幅方向中央部分に鶏糞が堆積される量が増えるため最下段のベルトコンベアでは幅方向中央部分にかなりの量の鶏糞が堆積されてしまうという問題があり、また、幅方向中央部分に鶏糞が集中するため下段にいく程鶏糞の乾燥率が悪くなるという問題もあった。
本発明は、上記した従来の問題点を解決し、鶏糞を効率良く乾燥させながら回収することができる鶏糞中抜き装置を備えた鶏糞回収コンベア付きケージユニットを提供することを目的としている。
【０００４】
【課題を解決するための手段】
上記した目的を達成するために本発明に係る鶏糞中抜き装置を備えた鶏糞回収コンベア付きケージユニットは、鶏を収容する複数のケージに仕切られた長い二つのケージ列を背中合わせに配置して一段のケージ列対を構成し、このケージ列対を複数段重ねると共に、各段のケージ列対の下方にケージ列対の長手方向に延び長手方向に移動する鶏糞回収用のベルトコンベアを設け、上下に隣接する段の前記ベルトコンベアを各々反対方向に作動させ、上段にあるベルトコンベア上に堆積した鶏糞を、その下流部分から、その直ぐ下方にある下段のベルトコンベアの上流部分に次々に移し変えて最下段にあるベルトコンベアの下流端で全ての鶏糞を回収するように構成した鶏糞回収コンベア付きケージユニットにおいて、少なくとも一つのベルトコンベアの下流部分に、そのベルトコンベア上に堆積した鶏糞の乾燥の進んだ部分を回収し、回収した鶏糞をベルトコンベアの幅方向外方に移送してケージユニットの側部から排出する鶏糞中抜き装置を設けたことを特徴とするものである。
【０００５】
【発明の実施の形態】
以下、添付図面に示した一実施例を参照して本発明に係る鶏糞中抜き装置を備えた鶏糞回収コンベア付きケージユニット（以下、単にケージユニットと称する。）の実施の形態を説明する。
図１は、本発明に係るケージユニットの概略側面図を示している。
このケージユニットは、鶏を収容する複数のケージに仕切られた長い二つケージ列を背中合わせに配置して一段のケージ列対１を構成し、このケージ列対１を複数段、本実施例の場合には４段重ねたもので、各段の一対のケージ列対１の下方には、それらの下方を遮る幅広の鶏糞回収用ベルトコンベア３が配置されている。
前記ベルトコンベア３は、ケージ列対１の長手方向に沿って設けられ、ケージユニットの両端部にある支持フレーム５，７に設けられた駆動モータ（図示せず）によって、上下のベルトコンベア３が逆方向に移動するように作動される。
各段のベルトコンベア３は、その上流部分が上段のベルトコンベア３の下流部分より突出するように配置され、この突出した部分で上段のベルトコンベア３の下流端から落ちる鶏糞を受け取るように構成されている。
また、支持フレーム５，７には、上段のベルトコンベア３の下流端から落ちる鶏糞が下段のベルトコンベア３の突出した上流部の幅方向中央部分に集まるように鶏糞を案内するテーパ状のガイド部材９が各段のベルトコンベア３毎に設けられており、これにより、上段のベルトコンベア３から落ちた鶏糞は下段のベルトコンベア３の幅方向中央部分に集まり、また、下段のベルトコンベア３に対応するケージ列対１の鶏が放出した鶏糞はベルトコンベア３の幅方向両側部分に集まるようになり、下段のベルトコンベア３で運ばれている最中に、上段のベルトコンベア３から乗り移った鶏糞の上に鶏が放出したばかりの鶏糞が載ることが防止される。
上記した構成により、各ケージ列対１で鶏が放出した鶏糞は、最上段のベルトコンベア３Ａから、２段目のベルトコンベア３Ｂ、３段目のベルトコンベア３Ｃ、及び最下段のベルトコンベア３Ｄの順に次々に移し変えられながら移送され、最終的に最下段のベルトコンベア３Ｄの下流端に設けられた鶏糞回収部１１で回収される。
【０００６】
上記したように構成されたケージユニットにおける上から２段目のケージ列対１Ｂに対応するベルトコンベア３Ｂの下流端には鶏糞中抜き装置２０が設けられている。
図２は、ケージユニットにおける鶏糞中抜き装置が設けられた部分の概略斜視図を示している。
この鶏糞中抜き装置２０は、ベルトコンベア３Ｂの下流端を支持する左右一対の支持フレーム７，７間に設けられた鶏糞移送管２１と、この鶏糞移送管２１の略中央部分に鶏糞移送管２１の内部と連通するように設けられた鶏糞回収ホッパ２３とを備えている。
前記鶏糞移送管２１は、その一端（図示せず）が閉鎖され、他端は図２に示すように一方の支持フレーム７を貫通して延び、支持フレーム７の外側で開口しており、また、その内部にはスクリューコンベア２５が設けられている。
前記鶏糞回収ホッパ２３はその上端開口部の一側がベルトコンベア３Ｂの幅方向中央部分に接触するように配置され、これによりベルトコンベア３Ｂの幅方向中央部分に堆積された鶏糞はベルトコンベア３Ｂの回転駆動に伴って鶏糞回収ホッパ２３の内部に落とされる。
鶏糞回収ホッパ２３内に落ちた鶏糞は、そのまま鶏糞移送管２１内に入り、鶏糞移送管２１内に設けられたスクリューコンベア２５によって、鶏糞移送管２１内をベルトコンベア３の幅方向外方、即ち、ケージユニットの幅方向外方に向けて支持フレーム７の外側まで運ばれ、鶏糞移送管２１の開口端２１ａから排出される。
尚、図示していないが、鶏糞移送管２１の開口端部２１ａには適当な鶏糞排出チューブが連結され、鶏糞移送管２１から排出された鶏糞は、この鶏糞排出チューブによって鶏糞回収部１１まで運ばれる。
【０００７】
以下、上記したように構成されたケージユニットの作用を簡単に説明する。
各段のケージ列対１Ａ〜１Ｄで鶏が放出した鶏糞は、各段のベルトコンベア３Ａ〜３Ｄ上に堆積する。
各段のベルトコンベア３Ａ〜３Ｄは、連続的又は断続的に作動されると、最上段３Ａ上に堆積した鶏糞は２段目のベルトコンベア３Ｂにおける幅方向中央部分に移し変えられ２段目のベルトコンベア３Ｂによって３段目のベルトコンベア３Ｃの上流側に向けて移送され、この間に適当に乾燥が促進される。
２段目のベルトコンベア３Ｂの下流端で、２段目のケージ列対１Ｂの鶏が放出した鶏糞は３段目のベルトコンベア３Ｃの上流部分における幅方向中央部分に移し変えられるが、２段目のベルトコンベア３Ｂの幅方向中央部分に堆積した鶏糞は鶏糞中抜き装置２０によって回収され鶏糞回収部１１に運ばれる。
その後、３段目のベルトコンベア３Ｃの鶏糞は最下段のベルトコンベア３Ｄの幅方向中央部分に移し変えられ、最終的に最下段のベルトコンベア３Ｄの下流端から鶏糞回収部１１に鶏糞が排出される。
【０００８】
上記したように、本実施例に係るケージユニットでは、ジグザグに鶏糞を移し変えながら各段のベルトコンベア３で鶏糞を移送する途中で鶏糞中抜き装置２０でベルトコンベア３の幅方向中央部分に堆積した鶏糞を回収するように構成しているので、最下段のベルトコンベア３Ｄの幅方向中央部分に鶏糞が堆積し過ぎることがなく、また、その結果幅方向中央部分に集められた鶏糞の乾燥も効率よく促進されるようになる。
また、本実施例に係るケージユニットにおける鶏糞中抜き装置２０は、支持フレーム７の間に設けられた鶏糞移送管２１、該鶏糞移送管２１に設けられた鶏糞回収ホッパ２３、及び鶏糞移送管２１の内部に設けられたスクリューコンベア２５から構成され、回収した鶏糞をベルトコンベアの幅方向外方に移送して支持フレーム７の外側から排出するので、どの部材も支持フレーム７より極端に長手方向外方に突出することがなく、鶏糞中抜き装置２０を設けることによりケージユニットの長手方向に大きくなることはない。また、前記鶏糞中抜き装置２０は、鶏糞移送管２１、鶏糞回収ホッパ２３、及びスクリューコンベア２５だけで構成されているので構造が簡単で、また、既存のケージユニットにも簡単に適用することができるという効果を奏する。
【０００９】
以上説明した実施例のケージユニットは、４段のケージ列対１Ａ〜１Ｄ及びベルトコンベア３Ａ〜３Ｄで構成され、２段目のベルトコンベア３Ｂの下流端に鶏糞中抜き装置２０を設けているが、ケージユニットの構成及び鶏糞中抜き装置２０の数は本実施例に限定されることなく、ケージユニットの段数に応じて適宜決めることができる。
【００１０】
【発明の効果】
以上説明したように、本発明に係る鶏糞中抜き装置を備えた鶏糞回収コンベア付きケージユニットは、鶏を収容する複数のケージに仕切られた長い二つのケージ列を背中合わせに配置して一段のケージ列対を構成し、このケージ列対を複数段重ねると共に、各段のケージ列対の下方にケージ列対の長手方向に延び長手方向に移動する鶏糞回収用のベルトコンベアを設け、上下に隣接する段の前記ベルトコンベアを各々反対方向に作動させ、上段にあるベルトコンベア上に堆積した鶏糞を、その下流部分から、その直ぐ下方にある下段のベルトコンベアの上流部分に次々に移し変えて最下段にあるベルトコンベアの下流端で全ての鶏糞を回収するように構成した鶏糞回収コンベア付きケージユニットにおいて、少なくとも一つのベルトコンベアの下流部分に、そのベルトコンベア上に堆積した鶏糞の乾燥の進んだ部分を回収し、回収した鶏糞をベルトコンベアの幅方向外方に移送してケージユニットの側部から排出する鶏糞中抜き装置を設けているので、ケージユニットを長手方向に大きくすることなく、ベルトコンベアに堆積した鶏糞のうち乾燥の進んだ部分を途中で回収することが可能になり、鶏糞を効率良く乾燥させながら回収することができるようになるという効果を奏する。
【図面の簡単な説明】
【図１】本発明に係る鶏糞中抜き装置を備えた鶏糞回収コンベア付きケージユニットの概略側面図である。
【図２】ケージユニットにおける鶏糞中抜き装置が設けられた部分の概略斜視図である。
【図３】従来のジグザグシステムを採用したケージユニットの概略側面図である。
【図４】図３におけるケージユニットの最上段と２段目のケージ列対及びベルトコンベアの概略横断面図である。
【符号の説明】
１Ａ〜Ｄ      ケージ列対
３Ａ〜Ｄ      鶏糞回収用ベルトコンベア
５            支持フレーム
７            支持フレーム
９            ガイド部材
１１          鶏糞回収部
２０          鶏糞中抜き装置
２１          鶏糞移送管
２１ａ        開口端
２３          鶏糞回収ホッパ
２５          スクリューコンベア
３１Ａ〜Ｄ    ケージ列対
３３Ａ〜Ｄ    ベルトコンベア
３５          ガイド部材
Ｌ，Ｒ        ケージ列
【図１】
0003554654.tif 000002
【図２】
0003554654.tif 000003
【図３】
0003554654.tif 000004
【図４】
0003554654.tif 000005